(57)【特許請求の範囲】
【請求項１】
共振周波数の異なる第１アンテナ部及び第２アンテナ部と、前記第１アンテナ部及び第２アンテナ部の給電点とを有するアンテナエレメントと、
前記アンテナエレメントの前記給電点に近接して配設される接地点を有するグランドエレメントであって、前記給電点から離れる方向に切り欠かれた第１切欠部及び第２切欠部を有し、前記第１切欠部と前記第２切欠部が、それぞれ、前記接地点の前記第１アンテナ部の側と前記第２アンテナ部の側とに形成されるグランドエレメントと、
前記第１切欠部によって切り欠かれた前記グランドエレメントの第１の一端側と第１の他端側との間に配設され、前記第１の一端側と前記第１の他端側の接続状態を切り替える第１接続回路と
前記第２切欠部によって切り欠かれた前記グランドエレメントの第２の一端側と第２の他端側との間に配設され、前記第２の一端側と前記第２の他端側の接続状態を切り替える第２接続回路と
を含み、前記第１接続回路及び前記第２接続回路で前記第１の一端側と前記第１の他端側の接続状態と、前記第２の一端側と前記第２の他端側の接続状態とをそれぞれ切り替えることにより、共振周波数を切り替える、アンテナ装置。
【請求項２】
前記第１接続回路は、前記第１切欠部の開放端側に配設され、前記第２接続回路は、前記第２切欠部の開放端側に配設される、請求項１に記載のアンテナ装置。
【請求項３】
前記第１接続回路及び前記第２接続回路のうちのいずれかを非接続状態にする、請求項１又は２に記載のアンテナ装置。
【請求項４】
前記第１接続回路及び前記第２接続回路のすべてを接続状態にする、請求項１又は２に記載のアンテナ装置。
【請求項５】
前記第１アンテナ部は、逆Ｌ型又は逆Ｆ型であり、前記第２アンテナ部は、逆Ｌ型又は逆Ｆ型である、請求項１乃至４のいずれか一項に記載のアンテナ装置。
【請求項６】
請求項１乃至５のいずれか一項に記載のアンテナ装置を含む、無線通信装置。
【発明の詳細な説明】
【技術分野】
【０００１】
本発明は、アンテナ装置、及びこれを用いた無線通信装置に関する。
【背景技術】
【０００２】
従来より、複数の共振周波数を得るために、複数のアンテナエレメントを含むアンテナ装置がある（例えば、特許文献１参照）。
【０００３】
また、チップアンテナとパターンアンテナを設け、必要な周波数帯域のうちの高域側にパターンアンテナを同調させ、チップアンテナを低域側に同調させ、チップアンテナとパターンアンテナを切り替えて用いるアンテナ装置がある（例えば、特許文献２参照）。
【発明の概要】
【発明が解決しようとする課題】
【０００４】
上述のように、従来は、複数の共振周波数を得るために、共振周波数の異なる複数のアンテナエレメントを含むアンテナ装置、又は、同調帯域の異なるチップアンテナとパターンアンテナを含むアンテナ装置が利用されていた。
【０００５】
ところで、複数の周波数帯の通信が行える環境において、従来のように、アンテナエレメント、チップアンテナ、又はパターンアンテナ等の数を増やす代わりに、アンテナの利用者がアンテナエレメントの共振周波数を自由に設定又は選択することができれば、小型化と利便性を両立することができる。
【０００６】
しかしながら、従来のアンテナ装置では、アンテナ装置の利用者がアンテナエレメントの共振周波数を自由に設定又は選択することはできなかった。このため、従来のアンテナ装置は、使用する周波数帯の数に応じた複数のアンテナエレメント、チップアンテナ、又はパターンアンテナ等を含んでおり、大型化していた。
【０００７】
そこで、本発明は、アンテナエレメントの共振周波数を自由に設定又は選択することのできる小型のアンテナ装置、及びこれを用いた無線通信装置を提供することを目的とする。
【課題を解決するための手段】
【０００８】
本発明の実施の形態の一観点のアンテナ装置は、共振周波数の異なる第１アンテナ部及び第２アンテナ部と、前記第１アンテナ部及び第２アンテナ部の給電点とを有するアンテナエレメントと、前記アンテナエレメントの前記給電点に近接して配設される接地点を有するグランドエレメントであって、前記給電点から離れる方向に切り欠かれた第１切欠部及び第２切欠部を有し、前記第１切欠部と前記第２切欠部が、それぞれ、前記接地点の前記第１アンテナ部の側と前記第２アンテナ部の側とに形成されるグランドエレメントと、前記第１切欠部によって切り欠かれた前記グランドエレメントの第１の一端側と第１の他端側との間に配設され、前記第１の一端側と前記第１の他端側の接続状態を切り替える第１接続回路と前記第２切欠部によって切り欠かれた前記グランドエレメントの第２の一端側と第２の他端側との間に配設され、前記第２の一端側と前記第２の他端側の接続状態を切り替える第２接続回路とを含み、前記第１接続回路及び前記第２接続回路で前記第１の一端側と前記第１の他端側の接続状態と、前記第２の一端側と前記第２の他端側の接続状態とをそれぞれ切り替えることにより、共振周波数を切り替える。
【０００９】
また、前記第１接続回路は、前記第１切欠部の開放端側に配設され、前記第２接続回路は、前記第２切欠部の開放端側に配設されてもよい。
【００１１】
また、前記第１接続回路及び前記第２接続回路のうちのいずれかを非接続状態にしてもよい。
【００１２】
また、前記第１接続回路及び前記第２接続回路のすべてを接続状態にしてもよい。
【００１５】
また、前記第１アンテナ部は、逆Ｌ型又は逆Ｆ型であり、前記第２アンテナ部は、逆Ｌ型又は逆Ｆ型であってもよい。
【００１６】
本発明の実施の形態の一観点の無線通信装置は、前記いずれかに記載のアンテナ装置を含む。
【発明の効果】
【００１７】
アンテナエレメントの共振周波数を自由に設定又は選択することのできる小型のアンテナ装置、及びこれを用いた無線通信装置を提供できる。
【図面の簡単な説明】
【００１８】
【図１】実施の形態１のアンテナ装置を示す図である。
【図２】実施の形態１のアンテナ装置１００の接続回路３０の回路構成を示す図である。
【図３】実施の形態１のアンテナ装置１００の接続回路３０の実装状態を示す拡大斜視図である。
【図４】実施の形態１のアンテナ装置１００を含む無線通信装置の構成を示すブロック図である。
【図５】実施の形態１のアンテナ装置１００のグランドエレメント２０における信号経路を示す図である。
【図６】実施の形態１のアンテナ装置１００の周波数に対するＳ１１パラメータの特性を示す図である。
【図７】実施の形態１の変形例のアンテナ装置１００Ａを示す図である。
【図８】実施の形態２のアンテナ装置２００を示す図である。
【図９】実施の形態２のアンテナ装置２００における接続回路３０Ａ、３０Ｂの切替処理を示すフローチャートである。
【図１０】実施の形態２のアンテナ装置２００の周波数に対するＳ１１パラメータの特性を示す図である。
【図１１】実施の形態３のアンテナ装置３００を示す図である。
【図１２】実施の形態３のアンテナ装置３００のＳ１１パラメータの周波数特性を示す図である。
【発明を実施するための形態】
【００１９】
以下、本発明のアンテナ装置、及びこれを用いた無線通信装置を適用した実施の形態について説明する。
【００２０】
＜実施の形態１＞
図１は、実施の形態１のアンテナ装置を示す図である。
【００２１】
ここでは、実施の形態１のアンテナ装置１００を無線通信装置に実装した形態について説明する。
【００２２】
実施の形態１のアンテナ装置１００は、アンテナエレメント１０、グランドエレメント２０、接続回路３０、及びＰＣＢ（Printed Circuit Board）基板４０を含む。なお、ここでは、各構成要素の構造を説明するにあたり、図１に示すＸ−Ｙ座標を用いる。
【００２３】
アンテナエレメント１０は、逆Ｆ型のアンテナエレメントであり、接続部１１でグランドエレメント２０の角部２０Ａに接続されている。
【００２４】
アンテナエレメント１０は、接続部１１からＰＣＢ基板４０の長辺４１Ａに沿ってグランドエレメント２０から離間する方向（図１中で＋Ｙ方向）に延伸し、ＰＣＢ基板４０の角部４３Ａの近傍において折り曲げ部１２で直角に（図１中では＋Ｘ方向に直角に）折り曲げられ、ＰＣＢ基板４０の短辺４２Ａに沿って端部１３まで延伸している。端部１３は、ＰＣＢ基板４０の角部４３Ｂの近傍に位置する。
【００２５】
また、アンテナエレメント１０は、折り曲げ部１２と端部１３の間の分岐部１４から直角に分岐する給電線路１５を有する。給電線路１５は、グランドエレメント２０の方向（図１中−Ｙ方向）に延伸しており、給電部１６となる端部を有する。
【００２６】
このようなアンテナエレメント１０は、例えば、ＰＣＢ基板４０の表面に銅箔をパターニングすることによって形成される。また、端部１３は、逆Ｆ型のアンテナエレメント１０の給電部１６となる端部側とは異なる端部である。
【００２７】
グランドエレメント２０は、ＰＣＢ基板４０の表面に略正方形状にパターニングされており、例えば、銅箔で形成される。グランドエレメント２０は、角部２０Ａ、２０Ｂ、２０Ｃ、２０Ｄを有する。角部２０Ａは、アンテナエレメント１０の接続部１１に接続され、角部２０Ｃ、２０Ｄは、それぞれ、ＰＣＢ基板４０の角部４３Ｃ、４３Ｄの近傍に位置する。
【００２８】
グランドエレメント２０は、例えば、アンテナエレメント１０の給電部１６に対向する部位を接地点２０Ｅとして、接地される。
【００２９】
アンテナエレメント１０への給電、及び、グランドエレメント２０の接地は、例えば、給電部１６に同軸ケーブル（図示せず）の芯線を接続し、接地点２０Ｅに同軸ケーブルのシールド線を接続することによって実現される。
【００３０】
また、グランドエレメント２０は、接地点２０Ｅの近傍からＰＣＢ基板４０の短辺４２Ｂの方向（図１中−Ｙ方向）に切り欠かれた切欠部であるスリット２１を有する。スリット２１は、開放端２１Ａと結合端２１Ｂを有する。
【００３１】
略正方形状のグランドエレメント２０の４辺のうち、アンテナエレメント１０に近接する辺２２（図１中Ｘ方向に延伸する辺のうち、アンテナエレメント１０に近い方の辺）は、スリット２１の開放端２１Ａにより、辺２２Ａと辺２２Ｂとに分断されている。以下では、グランドエレメント２０の辺２２Ａ、２２Ｂの近傍の部位のうち、開放端２１Ａの両脇に位置する部位を部位２３Ａ、２３Ｂと称す。
【００３２】
接続回路３０は、スリット２１の開放端２１Ａに設けられており、スリット２１によって切り欠かれたグランドエレメント２０の部位２３Ａと部位２３Ｂの間の接続状態を切り替える。ここで、接続状態の切り替えとは、部位２３Ａと部位２３Ｂの間を電気的に接続する状態と、部位２３Ａと部位２３Ｂの間を電気的に接続しない状態とを切り替えることをいう。
【００３３】
接続回路３０の接続状態の切り替えはコントローラ１２０によって制御されるように構成されているが、その詳細については後述する。
【００３４】
また、実施の形態１のアンテナ装置１００は、例えば、数ＧＨｚ程度の高周波信号を送受信するために用いられるため、グランドエレメント２０における信号分布は、グランドエレメント２０にスリット２１が設けられていなければ、角部２０Ａ、２０Ｂ、２０Ｃ、２０Ｄを結ぶ四辺の近傍に集中する。
【００３５】
しかしながら、実際にはグランドエレメント２０はスリット２１と接続回路３０を含むので、接続回路３０で部位２３Ａと部位２３Ｂの接続状態を切り替えることにより、接続回路３０の接続状況に応じてグランドエレメント２０における信号分布が切り替えられ、アンテナ装置１００の電気的な特性は変化する。アンテナ装置１００の特性の変化については後述する。
【００３６】
なお、図１に示す接続回路３０は、スリット２１の開放端２１Ａに配設される。このように接続回路３０を開放端２１Ａに配設するのは、上述のように高周波信号はブランドエレメント２０の隅に集中的に分布するため、スリット２１の開放端２１Ａの両側の部位２３Ａと部位２３Ｂとを信号経路として接続することにより、接続回路３０をオンにしたときに高周波信号を角部２０Ａ、２０Ｂ、２０Ｃ、２０Ｄを結ぶ信号経路に導くためである。このため、接続回路３０は、スリット２１の開放端２１側に配設される必要があるが、スリット２１の開放端２１Ａに限られず、開放端２１Ａよりも少し結合端２１Ｂ側に入り込んだ位置に配設されてもよい。接続回路３０を配設する位置は、スリット２１の開放端２１Ａ側において、高周波信号の信号分布に応じて決定すればよい。
【００３７】
また、アンテナエレメント１０、グランドエレメント２０（スリット２１を含む）、及び接続回路３０は、ＰＣＢ基板４０の表面に形成した銅箔をパターニングすることによって同時に形成することができる。
【００３８】
ＰＣＢ基板４０は、例えば、ガラス繊維の布にエポキシ樹脂をしみ込ませ熱硬化処理を施したＦＲ４製の基板であればよい。ＰＣＢ基板４０は、長辺４１Ａ、４１Ｂ、短辺４２Ａ、４２Ｂ、及び角部４３Ａ〜４３Ｄを有する平面視で長方形状の基板である。
【００３９】
このような実施の形態１のアンテナ装置１００において、接続回路３０で部位２３Ａと部位２３Ｂとが接続されていない場合の共振周波数ｆ１と、接続回路３０で部位２３Ａと部位２３Ｂとが接続されている場合の共振周波数ｆ２は異なる。
【００４０】
このため、アンテナ装置１００は、接続回路３０で部位２３Ａと部位２３Ｂとの接続状態を切り替えることにより、２つの共振周波数を選択することができる。
【００４１】
なお、一例としてアンテナ装置１００の寸法を挙げると、アンテナエレメント１０の接続部１１から折り曲げ部１２までの長さは５ｍｍ、折り曲げ部１２から端部１３までの長さは２２ｍｍ、アンテナエレメント１０の線幅は１ｍｍである。また、グランドエレメント２０は、角部２０Ａから角部２０Ｂまでの長さが２２ｍｍ、角部２０Ｂから角部２０Ｃまでの長さが２２ｍｍである。
【００４２】
また、スリット２１は、例えば、長さ（図１中Ｙ方向の長さ）が使用周波数における波長λの１／６波長（λ／６）分の長さである。ここで、λ／６は、使用周波数における波長λの１／４波長（λ／４）分の長さの２／３に相当する。また、スリット２１の幅は、例えば、５ｍｍである。
【００４３】
次に、接続回路３０について説明する。
【００４４】
図２は、実施の形態１のアンテナ装置１００の接続回路３０の回路構成を示す図である。
【００４５】
接続回路３０は、コンデンサ３１、ＰＩＮ（p-intrinsic-n）ダイオード３２、コンデンサ３３、高周波チョークコイル（ＲＦＣ）３４、抵抗器３５、及び高周波チョークコイル（ＲＦＣ）３６を含む。
【００４６】
コンデンサ３１は、一端がグランドエレメント２０の部位２３Ａに接続され、他端がＰＩＮダイオード３２の入力端に接続される。
【００４７】
ＰＩＮダイオード３２の出力端は、コンデンサ３３を介してグランドエレメント２０の部位２３Ｂに接続されている。
【００４８】
また、ＰＩＮダイオード３２は、入力端が高周波チョークコイル３４を介してコントローラ１２０に接続されるとともに、出力端が抵抗器３５及び高周波チョークコイル３６を介して接地されている。コントローラ１２０は、ＰＩＮダイオード３２のオン／オフを制御するための直流電圧の供給制御を行う。また、高周波チョークコイル３６は、例えば、配線等（図示せず）でグランドエレメント２０（図１参照）に接続されることによって接地されている。
【００４９】
このような回路構成の接続回路３０において、コントローラ１２０からＰＩＮダイオード３２の入力端に所定の直流電圧が印加されると、ＰＩＮダイオード３２がオンになり、グランドエレメント２０の部位２３Ａと部位２３Ｂが高周波的に接続される。また、コントローラ１２０からＰＩＮダイオード３２の入力端に印加する直流電圧を遮断すると、ＰＩＮダイオード３２がオフになり、グランドエレメント２０の部位２３Ａと部位２３Ｂが高周波的に遮断され、非接続状態にされる。接続回路３０のＰＩＮダイオード３２のオン／オフの制御は、コントローラ１２０によって行われる。
【００５０】
なお、以下では、グランドエレメント２０の部位２３Ａと部位２３Ｂとが接続されている状態に接続回路３０を切り替えることを接続回路３０をオンにすると称し、グランドエレメント２０の部位２３Ａと部位２３Ｂとが接続されていない状態に接続回路３０を切り替えることを接続回路３０をオフにすると称す。
【００５１】
次に、接続回路３０の実装状態について説明する。
【００５２】
図３は、実施の形態１のアンテナ装置１００の接続回路３０の実装状態を示す拡大斜視図である。
【００５３】
接続回路３０に含まれるコンデンサ３１、ＰＩＮダイオード３２、コンデンサ３３、高周波チョークコイル３４、抵抗器３５、及び高周波チョークコイル３６は、パッド３７、３８を介して、図３に示すように接続されている。
【００５４】
コンデンサ３１、ＰＩＮダイオード３２、コンデンサ３３、高周波チョークコイル３４、抵抗器３５、及び高周波チョークコイル３６としては、図３に示すように、チップ型の素子を用いればよい。また、パッド３７、３８は、例えば、銅箔で形成することができ、アンテナエレメント１０及びグランドエレメント２０とともに形成することができる。
【００５５】
次に、コントローラ１２０を含む実施の形態１の無線通信装置について説明する。
【００５６】
図４は、実施の形態１のアンテナ装置１００を含む無線通信装置の構成を示すブロック図である。
【００５７】
無線通信装置１１０は、例えば、コピー機、ＦＡＸ機、プリンタ、又はこれらの機能を有する複合機等であり、複数の周波数帯での通信を行えるように構成されている。
【００５８】
無線通信装置１１０は、ＣＰＵ（Central Processing Unit：中央演算処理装置）１１１、ＲＡＭ（Random Access Memory）１１２、ＲＯＭ（Read Only Memory）１１３、ＧＵＩ（Graphic User Interface）操作部１１４、無線制御部１１５、コントローラ１２０、及びアンテナ装置１００を含む。
【００５９】
ＣＰＵ１１１、ＲＡＭ１１２、ＲＯＭ１１３、ＧＵＩ操作部１１４、及び無線制御部１１５は、バス１１６で接続されている。また、図２に示すコントローラ１２０は、図１に示したコントローラ１２０である。
【００６０】
ＣＰＵ１１１は、ＲＯＭ１１３に格納されたプログラムを実行し、アンテナ装置１００の周波数帯を切り替えるための処理を行う。
【００６１】
ＲＡＭ１１２は、ＣＰＵ１１１が実行するプログラムを展開し、作業場となるメモリである。
【００６２】
ＲＯＭ１１３は、ＣＰＵ１１１が実行するプログラムを格納する不揮発性のメモリである。
【００６３】
ＧＵＩ操作部１１４は、例えば、座標入力装置（典型的にはタッチパネル）と表示装置（典型的には液晶パネル）を重ね合わせた表示操作部であり、無線通信装置１１０の操作に必要な操作ボタン等を表示し、利用者の操作入力を受け付ける。利用者の操作入力は、ＣＰＵ１１１に伝送される。
【００６４】
無線制御部１１５は、ＧＵＩ操作部１１４に入力される操作入力の内容に応じて、無線通信装置１１０が使用する周波数を切り替える処理を行う。例えば、上述のように、アンテナ装置１００が２つの共振周波数ｆ１、ｆ２を有する場合には、ＧＵＩ操作部１１４への操作入力の内容に応じて、共振周波数ｆ１、ｆ２の選択を行う。
【００６５】
コントローラ１２０は、無線制御部１１５の選択結果に応じて、アンテナ装置１００の接続回路３０の接続状態を切り替える。無線制御部１１５によって共振周波数ｆ１が選択された場合には、接続回路３０をオフ（非接続状態）にする。これとは逆に、無線制御部１１５によって共振周波数ｆ２が選択された場合には、接続回路３０をオン（接続状態）にする。
【００６６】
なお、ここでは、無線通信装置１１０がＣＰＵ１１１、ＲＡＭ１１２、ＲＯＭ１１３、ＧＵＩ操作部１１４、無線制御部１１５、及びコントローラ１２０を含むコンピュータを用いてアンテナ装置１００の共振周波数切り替える形態について説明するが、アンテナ装置１００の共振周波数の切り替えは、コンピュータによって実現されるものに限られるものではない。例えば、特定の用途のために設計、製造される集積回路であるＡＳＩＣ（Application Specific Integrated Circuit）を用いて、ＧＵＩ操作部１１４に入力される操作入力に応じて、アンテナ装置１００の共振周波数を切り替えてもよい。
【００６７】
ここで、図５を用いて、接続回路３０のオン／オフを切り替えた際におけるグランドエレメント２０での信号経路について説明する。
【００６８】
図５は、実施の形態１のアンテナ装置１００のグランドエレメント２０における信号経路を示す図である。図５（Ａ）は接続回路３０がオフの場合の信号経路を示し、図５（Ｂ）は接続回路３０がオンの場合の信号経路を示す。
【００６９】
図５（Ａ）に示すように、接続回路３０がオフの状態では、グランドエレメント２０の部位２３Ａと部位２３Ｂとの間が接続されていない。このため、例えば、数ＧＨｚ程度の高周波信号を送信又は受信しようとすると、高周波信号は、図５（Ａ）中にドットで示すように、グランドエレメント２０のスリット２１よりも左側の部分に分布し、スリット２１よりも右側には殆ど分布しない状態になる。
【００７０】
一方、接続回路３０をオンにすると、グランドエレメント２０の部位２３Ａと部位２３Ｂとの間が接続される。このため、例えば、数ＧＨｚ程度の高周波信号を送信又は受信しようとすると、高周波信号は、図５（Ｂ）中にドットで示すように、グランドエレメント２０の四隅（角部２０Ａ、２０Ｂ、２０Ｃ、２０Ｄ）を通るように分布する。
【００７１】
このように、接続回路３０のオン／オフによってグランドエレメント２０における高周波信号の分布の状態が切り替わるので、接続回路３０のオン／オフによってアンテナ装置１００の周波数特性を切り替えることができると考えられる。
【００７２】
次に、実施の形態１のアンテナ装置１００のＳパラメータを用いて周波数特性について説明する。
【００７３】
図６は、実施の形態１のアンテナ装置１００の周波数に対するＳ１１パラメータの特性を示す図である。なお、図６に示すＳパラメータは、給電部１６で測定したＳ１１パラメータであり、一点鎖線は接続回路３０を接続していない状態（接続回路３０オフの状態）の特性を示し、破線は接続回路３０を接続した状態（接続回路３０オンの状態）の特性図である。
【００７４】
接続回路３０がオフにされて、グランドエレメント２０の部位２３Ａと部位２３Ｂとが接続されていない状態では、一点鎖線で示すように、Ｓ１１パラメータの値は、周波数が約２．５ＧＨｚと約４．２ＧＨｚのときに極小値（約−１７ｄＢと約−１４ｄＢ）を示している。これにより、接続回路３０によってグランドエレメント２０の部位２３Ａと部位２３Ｂとが接続されていない場合の共振周波数ｆ１は、約２．５ＧＨｚと約４．２ＧＨｚであることが分かる。
【００７５】
次に、接続回路３０をオンにして、グランドエレメント２０の部位２３Ａと部位２３Ｂとが接続されている状態では、破線で示すように、Ｓ１１パラメータの値は、周波数が約２．８ＧＨｚのときに極小値（約−１７ｄＢ）を示している。これにより、接続回路３０によってグランドエレメント２０の部位２３Ａと部位２３Ｂとが接続されている場合の共振周波数ｆ２は、約４．８ＧＨｚであることが分かる。
【００７６】
この結果より、接続回路３０のオン／オフによってグランドエレメント２０の部位２３Ａと部位２３Ｂとの接続状態を切り替えることにより、アンテナ装置１００の共振周波数を切り替えられることが分かる。
【００７７】
なお、上述の共振周波数ｆ１、ｆ２は、主に、アンテナエレメント１０、グランドエレメント２０、及びスリット２１の寸法や形状等によって任意に設定することができる。
【００７８】
従って、実施の形態１によれば、アンテナエレメント１０の共振周波数を自由に設定又は選択することのできる小型のアンテナ装置１００、及びこれを用いた無線通信装置１１０を提供することができる。
【００７９】
ここで、実施の形態１のアンテナ装置１００を含む無線通信装置１１０が例えば複合機である場合の利用形態の一例について説明する。
【００８０】
例えば、携帯電話機Ａ（図示せず）の利用者が自己の携帯電話機Ａに記憶されているデータを印刷したい場合に、無線通信装置１１０としての複合機のＧＵＩ操作部１１４で自己の携帯電話機Ａの周波数帯を選択し、無線通信で携帯電話機Ａから複合機にデータを送信し、印刷処理等を行うことができる。また、別の利用者が携帯電話機Ａとは使用周波数が異なる自己の携帯電話機Ｂ（図示せず）に記憶されているデータをＦＡＸで送信したい場合に、ＧＵＩ操作部１１４で自己の携帯電話機Ｂの周波数帯を選択し、無線通信で携帯電話機Ｂから複合機にデータを送信し、ＦＡＸの送信処理等を行うことができる。ここで説明した無線通信装置１１０の用途は一例に過ぎないが、実施の形態１のアンテナ装置１００を含む無線通信装置１１０は、複数の周波数帯の通信が行える環境において、アンテナの利用者がアンテナエレメントの共振周波数を自由に設定又は選択することができるため、利便性が非常に高い。また、従来のように、共振周波数毎に対応した複数のアンテナを用いる必要がないため、小型のアンテナ装置１００を提供することができる。
【００８１】
なお、以上では、図２に示すような接続回路３０を用いる形態について説明したが、接続回路３０の回路構成は、図２に示したものに限定されるものではない。また、ＰＩＮダイオード３２の代わりに、例えば、高周波ＦＥＴ（Field effect transistor）を用いてもよい。
【００８２】
また、実施の形態１のアンテナ装置１００は、例えば、次のように変形することが可能である。
【００８３】
図７は、実施の形態１の変形例のアンテナ装置１００Ａを示す図である。ここでは、図１に示したアンテナ装置１００と同一の構成要素には同一符号を付し、その説明を省略し、相違点について説明する。
【００８４】
図７に示すように、実施の形態１の変形例のアンテナ装置１００Ａは、アンテナエレメント１０Ａが逆Ｌ型に形成されている。すなわち、アンテナエレメント１０Ａは、接続部１１が給電点１６を兼ねており、給電線１５は、接続部１１（給電点１６）からＰＣＢ基板４０の角部４３Ａの方向に延伸する部分となる。
【００８５】
また、グランドエレメント２０の接地点２０Ｅは、角部２０Ａと略同一の位置となる。
【００８６】
このような実施の形態１の変形例においても、実施の形態１のアンテナ装置１００と同様に、アンテナエレメント１０Ａの共振周波数を自由に設定又は選択することのできる小型のアンテナ装置１００Ａ、及びこれを用いた無線通信装置１１０を提供することができる。
【００８７】
＜実施の形態２＞
実施の形態２のアンテナ装置は、スリットと接続回路を複数組含む点が実施の形態１のアンテナ装置１００と異なる。その他の構成は、実施の形態１のアンテナ装置１００と同一であるため、同一の構成要素には同一符号を付し、その説明を省略する。
【００８８】
図８は、実施の形態２のアンテナ装置２００を示す図である。
【００８９】
実施の形態２のアンテナ装置２００は、グランドエレメント２０に形成される切欠部として２つのスリット２１、２４を有するとともに、それぞれのスリット２１、２４の開放端２１Ａ、２４Ａに配設される接続回路３０Ａ、３０Ｂを有する。なお、スリット２４は、結合端２４Ｂを有する。
【００９０】
ここで、接続回路３０Ａは、実施の形態１のアンテナ装置１００における接続回路３０に相当する。このため、実施の形態２のアンテナ装置２００は、実施の形態１のアンテナ装置１００に、スリット２４及び接続回路３０Ｂを追加した構成となっている。
【００９１】
また、実施の形態１のアンテナ装置１００における辺２２Ｂは、スリット２４の開放端２４Ａにより、辺２２Ｂ１と辺２２Ｂ２とに分断されている。以下では、グランドエレメント２０の辺２２Ｂ１、辺２２Ｂ２の近傍の部位のうち、開放端２４Ａの両脇に位置する部位を部位２５Ａ、２５Ｂと称す。
【００９２】
また、接続回路３０Ａ、３０Ｂの接続状態の切り替えは、コントローラ１２０によって行われる。
【００９３】
以下では、グランドエレメント２０の部位２３Ａと部位２３Ｂとが接続されている状態に接続回路３０を切り替えることを接続回路３０Ａをオンにすると称し、グランドエレメント２０の部位２３Ａと部位２３Ｂとが接続されていない状態に接続回路３０Ａを切り替えることを接続回路３０Ａをオフにすると称す。
【００９４】
同様に、グランドエレメント２０の部位２５Ａと部位２５Ｂとが接続されている状態に接続回路３０Ｂを切り替えることを接続回路３０Ｂをオンにすると称し、グランドエレメント２０の部位２５Ａと部位２５Ｂとが接続されていない状態に接続回路３０Ｂを切り替えることを接続回路３０Ｂをオフにすると称す。
【００９５】
なお、実施の形態１において図５を用いて説明したように、実施の形態１の接続回路３０（実施の形態２の接続回路３０Ａに相当する接続回路）をオフにした状態では、グランドエレメント２０のうちスリット２１よりも右側の領域には、高周波信号は殆ど分布しない。
【００９６】
このため、実施の形態２では、接続回路３０Ｂのオン／オフの切り替えは、接続回路３０Ａがオンにされている状態で行うこととする。接続回路３０Ａがオフの状態では、グランドエレメント２０のうちスリット２１よりも右側の領域には高周波信号は殆ど分布しないため、接続回路３０Ｂのオン／オフを切り替えても、グランドエレメント２０における高周波信号の信号分布には殆ど影響が生じず、アンテナ装置２００の周波数特性も殆ど変化しないと考えられるからである。
【００９７】
ここで、接続回路３０Ａ、３０Ｂをともにオフにした状態（グランドエレメント２０のスリット２１よりも左側に高周波信号が主に分布する状態）におけるアンテナ装置２００の共振周波数をｆ１とする。また、接続回路３０Ａをオンにし、接続回路３０Ｂをオフにした状態（グランドエレメント２０のスリット２４よりも左側に高周波信号が主に分布する状態）におけるアンテナ装置２００の共振周波数をｆ２とする。また、接続回路３０Ａ、３０Ｂをともにオンにした状態（グランドエレメント２０の四隅（角部２０Ａ、２０Ｂ、２０Ｃ、２０Ｄ）を通るように高周波信号が分布する状態）におけるアンテナ装置２００の共振周波数をｆ３とする。
【００９８】
アンテナ装置２００の共振周波数ｆ１、ｆ２、ｆ３の切り替えは、例えば、図９のフローチャートに示す処理によって実現される。
【００９９】
なお、接続回路３０Ａ、３０Ｂの各々を切り替えるためには、例えば、接続回路３０Ａ、３０Ｂに識別子を割り振り、２ビットの制御信号を用いることにより、接続回路３０Ａ、３０Ｂのオン／オフを制御することができる。この場合、接続回路３０Ａ、３０Ｂの識別子は、ＲＯＭ１１３（図４参照）に格納しておけばよい。
【０１００】
次に、図９を用いて、接続回路３０Ａ、３０Ｂの切替処理について説明する。
【０１０１】
図９は、実施の形態２のアンテナ装置２００における接続回路３０Ａ、３０Ｂの切替処理を示すフローチャートである。この切替処理は、ＧＵＩ操作部１１４（図４参照）への操作入力に基づき、ＣＰＵ１１１（図４参照）によって実行される処理である。
【０１０２】
処理がスタートすると、ＣＰＵ１１１は、ＧＵＩ操作部１１４への入力が共振周波数ｆ１を選択する入力であったか否かを判定する（ステップＳ１）。
【０１０３】
ＣＰＵ１１１は、ステップＳ１で共振周波数ｆ１が選択されたと判定した場合は、無線制御装置１１５に共振周波数ｆ１を選択するための信号（接続回路３０Ａ、３０Ｂをともにオフにするための信号）をコントローラ１２０に伝送する（ステップＳ２）。この結果、コントローラ１２０により、接続回路３０Ａ、３０Ｂがともにオフの状態にされ、共振周波数がｆ１にされる。
【０１０４】
ＣＰＵ１１１は、ステップＳ１において、選択された共振周波数がｆ１ではないと判定した場合は、ＧＵＩ操作部１１４への入力が共振周波数ｆ２を選択する入力であったか否かを判定する（ステップＳ３）。
【０１０５】
ＣＰＵ１１１は、ステップＳ３で共振周波数ｆ２が選択されたと判定した場合は、無線制御装置１１５に共振周波数ｆ２を選択するための信号（接続回路３０Ａをオンにするための信号）をコントローラ１２０に伝送する（ステップＳ４）。この結果、コントローラ１２０により、接続回路３０Ａがオンの状態にされ、共振周波数がｆ２にされる。
【０１０６】
ＣＰＵ１１１は、ステップＳ３において、選択された共振周波数がｆ２ではないと判定した場合は、ＧＵＩ操作部１１４への入力が共振周波数ｆ３を選択する入力であったか否かを判定する（ステップＳ５）。
【０１０７】
ＣＰＵ１１１は、ステップＳ５で共振周波数ｆ３が選択されたと判定した場合は、無線制御装置１１５に共振周波数ｆ３を選択するための信号（接続回路３０Ａ、３０Ｂをともにオンにするための信号）をコントローラ１２０に伝送する（ステップＳ６）。この結果、コントローラ１２０により、接続回路３０Ａ、３０Ｂがともにオンの状態にされ、共振周波数がｆ３にされる。
【０１０８】
ＣＰＵ１１１は、ステップＳ５において、選択された共振周波数がｆ３ではないと判定した場合は、フローをステップＳ１にリターンする。
【０１０９】
以上のように、実施の形態２のアンテナ装置２００によれば、スリット２１、２４と、接続回路３０Ａ、３０Ｂとを含むことにより、３通りの共振周波数を利用者が選択することができる。
【０１１０】
次に、実施の形態２のアンテナ装置２００のＳパラメータを用いて周波数特性について説明する。
【０１１１】
図１０は、実施の形態２のアンテナ装置２００の周波数に対するＳ１１パラメータの特性を示す図である。なお、図１０に示すＳ１１パラメータは、給電部１６で測定したものである。
【０１１２】
図１０において、一点鎖線は接続回路３０Ａ、３０Ｂをともにオフにした状態の周波数特性（共振周波数ｆ１が得られる周波数特性）を示し、実線は接続回路３０Ａをオン、接続回路３０Ｂをオフにした状態の周波数特性（共振周波数ｆ２が得られる周波数特性）を示し、破線は接続回路３０Ａ、３０Ｂをともにオンにした状態の周波数特性（共振周波数ｆ３が得られる周波数特性）を示す。
【０１１３】
図１０に示す３つのＳ１１パラメータの周波数特性は、上述のように、接続回路３０Ａ、３０Ｂの接続状態を切り替えることによって得られたものである。
【０１１４】
接続回路３０Ａ、３０Ｂがともにオフにされて、グランドエレメント２０の部位２３Ａと部位２３Ｂと、部位２５Ａと部位２５Ｂとがともに接続されていない状態では、一点鎖線で示すように、Ｓ１１パラメータの値は、周波数が約２．６ＧＨｚのときに極小値（約−１２ｄＢ）を示している。これにより、接続回路３０Ａ、３０Ｂによってグランドエレメント２０の部位２３Ａと部位２３Ｂと、部位２５Ａと部位２５Ｂとがともに接続されていない場合の共振周波数ｆ１は、約２．６ＧＨｚであることが分かる。
【０１１５】
また、接続回路３０Ａをオン、接続回路３０Ｂをオフにして、グランドエレメント２０の部位２３Ａと部位２３Ｂとが接続され、部位２５Ａと部位２５Ｂが接続されていない状態では、実線で示すように、Ｓ１１パラメータの値は、周波数が約２．４ＧＨｚと約３．８ＧＨｚのときに極小値（約−１４ｄＢと約−１８ｄＢ）を示している。これにより、接続回路３０Ａによってグランドエレメント２０の部位２３Ａと部位２３Ｂとが接続され、接続回路３０Ｂによってグランドエレメント２０の部位２５Ａと部位２５Ｂとが接続されていない場合の共振周波数ｆ２は、約２．４ＧＨｚと約３．８ＧＨｚであることが分かる。
【０１１６】
接続回路３０Ａ、３０Ｂがともにオンにされて、グランドエレメント２０の部位２３Ａと部位２３Ｂと、部位２５Ａと部位２５Ｂとがともに接続されている状態では、破線で示すように、Ｓ１１パラメータの値は、周波数が約２．８ＧＨｚのときに極小値（約−１３ｄＢ）を示している。これにより、接続回路３０Ａ、３０Ｂによってグランドエレメント２０の部位２３Ａと部位２３Ｂと、部位２５Ａと部位２５Ｂとがともに接続されている場合の共振周波数ｆ３は、約２．８ＧＨｚであることが分かる。
【０１１７】
この結果より、接続回路３０Ａ、３０Ｂのオン／オフによってグランドエレメント２０の部位２３Ａと部位２３Ｂと、部位２５Ａと部位２５Ｂとの接続状態を切り替えることにより、アンテナ装置２００の共振周波数を切り替えられることが分かる。
【０１１８】
なお、上述の共振周波数ｆ１、ｆ２、ｆ３は、主に、アンテナエレメント１０、グランドエレメント２０、及びスリット２１、２４の寸法や形状等によって任意に設定することができる。
【０１１９】
従って、実施の形態２によれば、アンテナエレメント１０の共振周波数を自由に設定又は選択することのできる小型のアンテナ装置２００、及びこれを用いた無線通信装置１１０（図４参照）を提供することができる。
【０１２０】
なお、実施の形態２では、一例として、２つのスリット２１、２４と２つの接続回路３０Ａ、３０Ｂを含む形態について説明したが、スリットと接続回路の数は幾つであってもよく、また、その配置も任意に設定することができる。
【０１２１】
＜実施の形態３＞
実施の形態３のアンテナ装置３００は、アンテナエレメントが分岐されて共振周波数の異なる第１アンテナ部と第２アンテナ部を含む点と、第１アンテナ部と第２アンテナ部のそれぞれに対応するスリットがグランドエレメントに設けられている点とが実施の形態１のアンテナ装置１００と異なる。
【０１２２】
図１１は、実施の形態３のアンテナ装置３００を示す図である。
【０１２３】
アンテナ装置３００は、アンテナエレメント３１０、グランドエレメント３２０、及びＰＣＢ基板３４０を含む。
【０１２４】
アンテナエレメント３１０とグランドエレメント３２０は、ＰＣＢ基板３４０の表面に形成されている。アンテナエレメント３１０、グランドエレメント３２０は、例えば、ＰＣＢ基板３４０の表面に形成した銅箔をパターニングすることによって形成することができる。
【０１２５】
ＰＣＢ基板３４０は、例えば、ガラス繊維の布にエポキシ樹脂をしみ込ませ熱硬化処理を施したＦＲ４製の基板であればよい。ＰＣＢ基板３４０は、短辺３４１Ａ、３４１Ｂ、長辺３４２Ａ、３４２Ｂ、及び角部３４３Ａ〜３４３Ｄを有する平面視で長方形状の基板である。なお、ＰＣＢ基板３４０は、実施の形態１のＰＣＢ基板４０とは長辺と短辺の関係が入れ替わっている。
【０１２６】
アンテナエレメント３１０は、接続部３１１でグランドエレメント３２０に接続されており、グランドエレメント３２０から離間する方向（図１１中で＋Ｙ方向）に延伸し、折り曲げ部３１２Ａで直角に（図１１中では＋Ｘ方向に直角に）折り曲げられ、さらに、折り曲げ部３１２Ｂでグランドエレメント３２０から離間する方向に直角に（図１中では＋Ｙ方向に直角に）折り曲げられ、分岐部３１２Ｃまで延伸している。
【０１２７】
アンテナエレメント３１０は、分岐部３１２Ｃで左右に分岐されており、第１アンテナ部３１０Ａは分岐部３１２Ｃよりも左側に分岐し、第２アンテナ部３１０Ｂは分岐部３１２Ｃよりも右側に分岐している。
【０１２８】
第１アンテナ部３１０Ａは、端部３１３Ａまで延伸している。端部３１３Ａは、ＰＣＢ基板３４０の角部３４３Ａの近傍に位置する。第１アンテナ部３１０Ａの分岐部３１２Ｃから端部３１３Ａまでの長さは、第１共振周波数ｆ１１に応じて設定されている。
【０１２９】
第２アンテナ部３１０Ｂは、端部３１３Ｂまで延伸している。端部３１３Ｂは、ＰＣＢ基板３４０の角部３４３Ｂの近傍に位置する。第２アンテナ部３１０Ｂの分岐部３１２Ｃから端部３１３Ｂまでの長さは、第２共振周波数ｆ１２に応じて設定されている。
【０１３０】
グランドエレメント３２０は、角部３２０Ａ、３２０Ｂ、３２０Ｃ、３２０Ｄを有する。角部３２０Ａ〜３２０Ｄのうち、角部３２０Ｃ、３２０Ｄは、それぞれ、ＰＣＢ基板３４０の角部３４３Ｃ、３４３Ｄの近傍に位置する。なお、グランドエレメント３２０は、図１１に示すＹ軸方向の破線（接地点３２０Ｅを通る破線）よりも左側が第１アンテナ部３１０Ａに対応して設けられており、破線（接地点３２０Ｅを通る破線）よりも右側は第２アンテナ部３１０Ｂに対応して設けられている。
【０１３１】
グランドエレメント３２０は、例えば、アンテナエレメント３１０の給電部３１６に対向する部位を接地点３２０Ｅとして、接地される。
【０１３２】
また、グランドエレメント３２０は、スリット３２１、３２４を有する。スリット３２１は、グランドエレメント３２０の幅方向において、角部３２０Ａと接続部３１１との間からＰＣＢ基板３４０の長辺３４２Ｂの方向（図１中−Ｙ方向）に切り欠かれた切欠部である。スリット３２１は、開放端３２１Ａと結合端３２１Ｂを有する。
【０１３３】
スリット３２４は、グランドエレメント３２０の幅方向において、接地点３２０Ｅと角部３２０Ｂとの間からＰＣＢ基板３４０の長辺３４２Ｂの方向（図１中−Ｙ方向）に切り欠かれた切欠部である。スリット３２４は、開放端３２４Ａと結合端３２４Ｂを有する。
【０１３４】
グランドエレメント３２０の４辺のうち、アンテナエレメント３１０に近接する辺３２２（図１１中Ｘ方向に延伸する辺のうち、アンテナエレメント１０に近い方の辺）は、スリット３２１の開放端３２１Ａと、接続部３１１と、スリット３２４の開放端３２４Ａとにより、辺３２２Ａ、３２２Ｂ、３２２Ｃ、３２２Ｄに分断されている。
【０１３５】
以下では、グランドエレメント３２０の辺３２２Ａ、３２２Ｂの近傍の部位のうち、開放端３２１Ａの両脇に位置する部位を部位３２３Ａ、３２３Ｂと称す。同様に、グランドエレメント３２０の辺３２２Ｃ、３２２Ｄの近傍の部位のうち、開放端３２４Ａの両脇に位置する部位を部位３２５Ａ、３２５Ｂと称す。
【０１３６】
接続回路３０Ａは、スリット３２１の開放端３２１Ａに設けられており、スリット３２１によって切り欠かれたグランドエレメント３２０の部位３２３Ａと部位３２３Ｂの間の接続状態を切り替える。
【０１３７】
同様に、接続回路３０Ｂは、スリット３２４の開放端３２４Ａに設けられており、スリット３２４によって切り欠かれたグランドエレメント３２０の部位３２５Ａと部位３２５Ｂの間の接続状態を切り替える。
【０１３８】
接続回路３０Ａ、３０Ｂの接続状態の切り替えは、実施の形態１、２と同様にコントローラ１２０によって制御されるように構成されている。
【０１３９】
なお、一例としてアンテナ装置３００の寸法を挙げると、端部３１３Ａから分岐部３１２Ｃまでの長さは２２ｍｍ、分岐部３１２Ｃから端部３１３Ｂまでの長さは９ｍｍ、アンテナエレメント３１０の線幅は１ｍｍである。また、グランドエレメント３２０は、角部３２０Ａから角部３２０Ｂまでの長さが３２ｍｍ、角部３２０Ｂから角部３２０Ｃまでの長さが２２ｍｍである。
【０１４０】
以下では、グランドエレメント３２０の部位３２３Ａと部位３２３Ｂとが接続されている状態に接続回路３０Ａを切り替えることを接続回路３０Ａをオンにすると称し、グランドエレメント３２０の部位３２３Ａと部位３２３Ｂとが接続されていない状態に接続回路３０Ａを切り替えることを接続回路３０Ａをオフにすると称す。
【０１４１】
同様に、グランドエレメント３２０の部位３２５Ａと部位３２５Ｂとが接続されている状態に接続回路３０Ｂを切り替えることを接続回路３０Ｂをオンにすると称し、グランドエレメント３２０の部位３２５Ａと部位３２５Ｂとが接続されていない状態に接続回路３０Ｂを切り替えることを接続回路３０Ｂをオフにすると称す。
【０１４２】
なお、実施の形態１、２と同様に、接続回路３０Ａをオフにした状態では、グランドエレメント３２０のうちスリット３２１よりも左側の領域には、高周波信号は殆ど分布しない。また、接続回路３０Ｂをオフにした状態では、グランドエレメント３２０のうちスリット３２４よりも右側の領域には、高周波信号は殆ど分布しない。
【０１４３】
２つの共振周波数ｆ１１、ｆ１２に応じた線路長の第１アンテナ部３１０Ａ及び第２アンテナ部３１０Ｂを含む実施の形態３のアンテナ装置３００は、コントローラ１２０で接続回路３０Ａ、３０Ｂをそれぞれ切り替えることにより、２つの共振周波数ｆ１１、ｆ１２をそれぞれシフトさせることができる。
【０１４４】
図１２は、実施の形態３のアンテナ装置３００のＳ１１パラメータの周波数特性を示す図である。
【０１４５】
ここでは、接続回路３０Ａ、３０Ｂをともにオンにした場合の特性Ａ、接続回路３０Ａをオンにして接続回路３０Ｂをオフにした場合の特性Ｂ、接続回路３０Ａをオフにして接続回路３０Ｂをオンにした場合の特性Ｃ、及び、接続回路３０Ａ、３０Ｂをともにオフに特性Ｄをシミュレーションによって求めた。
【０１４６】
図１２（Ａ）は、特性Ａ、Ｂを示し、図１２（Ｂ）は特性Ｃ、Ｄを示す。
【０１４７】
共振周波数ｆ１１は、図１２（Ａ）に示すように、特性Ａ、Ｂでは略同一で約２．４ＧＨｚであり、そのときのＳ１１パラメータの値は約−１２ｄＢであった。
【０１４８】
また、図１２（Ｂ）に示すように、特性Ｃでは共振周波数ｆ１１は約２．０ＧＨｚにシフトしており、そのときのＳ１１パラメータの値は約−１２ｄＢであった。また、特性Ｄでは共振周波数ｆ１１は約２．１ＧＨｚにシフトしており、そのときのＳ１１パラメータの値は約−１４ｄＢであった。
【０１４９】
また、共振周波数ｆ１２は、図１２（Ａ）に示すように、特性Ａでは約５．０ＧＨｚであり、そのときのＳ１１パラメータの値は約−１６ｄＢであった。特性Ｂでは約５．２ＧＨｚにシフトし、そのときのＳ１１パラメータの値は約−１６ｄＢであった。
【０１５０】
また、図１２（Ｂ）に示すように、特性Ｃでは共振周波数ｆ１２は約５．０ＧＨｚであり、そのときのＳ１１パラメータの値は約−１６ｄＢであった。また、特性Ｄでは共振周波数ｆ１２は約５．１ＧＨｚにシフトしており、そのときのＳ１１パラメータの値は約−１９ｄＢであった。
【０１５１】
この結果より、接続回路３０Ａ、３０Ｂのオン／オフによってグランドエレメント３２０の部位３２３Ａと部位３２３Ｂと、部位３２５Ａと部位３２５Ｂとの接続状態を切り替えることにより、アンテナ装置３００の共振周波数を切り替えられる（シフトできる）ことが分かる。
【０１５２】
なお、上述の共振周波数ｆ１１、ｆ１２は、主に、アンテナエレメント３１０、グランドエレメント３２０、及びスリット３２１、３２４の寸法、位置、形状等によって任意に設定することができる。
【０１５３】
以上のように、共振周波数の異なる第１アンテナ部３１０Ａと第２アンテナ部３１０Ｂを有するアンテナ装置３００においても、スリット３２１、３２４に設けられた接続回路３０Ａ、３０Ｂの接続状態を制御することにより、様々な共振周波数を自由に選択することのできる小型のアンテナ装置３００、及びこれを用いた無線通信装置１１０（図４参照）を提供することができる。
【０１５４】
なお、実施の形態３では、一例として、２つのスリット３２１、３２４と２つの接続回路３０Ａ、３０Ｂを含む形態について説明したが、スリットと接続回路の数は幾つであってもよく、また、その配置も任意に設定することができる。
【０１５５】
以上、本発明の例示的な実施の形態のアンテナ装置、及びこれを用いた無線通信装置について説明したが、本発明は、具体的に開示された実施の形態に限定されるものではなく、特許請求の範囲から逸脱することなく、種々の変形や変更が可能である。
【符号の説明】
【０１５６】
１００、１００Ａ  アンテナ装置
１０  アンテナエレメント
１１  接続部
１２  折り曲げ部
１３  端部
１４  分岐部
１５  給電線路
２０  グランドエレメント
２０Ａ、２０Ｂ、２０Ｃ、２０Ｄ  角部
２０Ｅ  接地点
２１  スリット
２１Ａ  開放端
２１Ｂ  結合端
２２Ａ、２２Ｂ  辺
２３Ａ、２３Ｂ  部位
３０  接続回路
３１、３３  コンデンサ
３２  ＰＩＮダイオード
３４、３６  高周波チョークコイル
３５  抵抗器
３７、３８  パッド
４０  ＰＣＢ基板
４１Ａ、４１Ｂ  長辺
４２Ａ、４２Ｂ  短辺
４３Ａ、４３Ｂ、４３Ｃ、４３Ｄ  角部
１１０  無線通信装置
１１１  ＣＰＵ
１１２  ＲＡＭ
１１３  ＲＯＭ
１１４  ＧＵＩ操作部
１１５  無線制御部
１１６  バス
２００  アンテナ装置
２１、２４  スリット
２２Ｂ１、２２Ｂ２  辺
２４Ａ  開放端
２４Ｂ  結合端
２５Ａ、２５Ｂ  部位
３０Ａ、３０Ｂ  接続回路
３００  アンテナ装置
３１０  アンテナエレメント
３１１  接続部
３１２Ａ  折り曲げ部
３１２Ｂ  折り曲げ部
３１２Ｃ  分岐部
３１３Ｂ  端部
３１６  給電部
３２０  グランドエレメント
３２０Ａ、３２０Ｂ、３２０Ｃ、３２０Ｄ  角部
３２０Ｅ  接地点
３２１、３２４  スリット
３２１Ａ  開放端
３２１Ｂ  結合端
３２２Ａ、３２２Ｂ、３２２Ｃ、３２２Ｄ  辺
３２４Ａ  開放端
３２４Ｂ  結合端
３２３Ａ、３２３Ｂ  部位
３２５Ａ、３２５Ｂ  部位
３４０  ＰＣＢ基板
３４１Ａ、３４１Ｂ  短辺
３４２Ａ、３４２Ｂ  長辺
３４３Ａ、３４２Ｂ、３４３Ｃ、３４３Ｄ  角部
【先行技術文献】
【特許文献】
【０１５７】
【特許文献１】特開２００４−２０１２７８号公報
【特許文献２】特開２００８−０１７４２６号公報
【図１】
0005573358.tif 000002
【図２】
0005573358.tif 000003
【図３】
0005573358.tif 000004
【図４】
0005573358.tif 000005
【図６】
0005573358.tif 000006
【図７】
0005573358.tif 000007
【図８】
0005573358.tif 000008
【図９】
0005573358.tif 000009
【図１０】
0005573358.tif 000010
【図１１】
0005573358.tif 000011
【図１２】
0005573358.tif 000012
【図５】
0005573358.tif 000013